(57)【特許請求の範囲】
【請求項１】
天面部の中央において起立する軸部を有し、容器の口頚部に固定保持されるベースキャップと、このベースキャップの軸部に回動可能に嵌合保持され、該軸部を起点とする回動にて前記ベースキャップの内側に形成された内部通路に連通させて容器内の内容物を注出する少なくとも一つのノズルを有する注出ヘッドとを備えた注出栓であって、
前記軸部の天面壁部に、該天面壁部に沿って形成され、該天面壁部を少なくとも二つに区分する細溝を設け、
前記注出ヘッドに、前記細溝に入り込んで該注出ヘッドの回動を阻止するが、該注出ヘッドの強制的な回動により引きちぎられる棒状部材を設けたことを特徴とする注出栓。
【請求項２】
前記細溝は、その溝壁部に、前記注出ヘッドの回動により前記棒状部材を滑動させて該細溝の外側へと脱出させる傾斜面を有する、請求項１記載の注出栓。
【請求項３】
前記細溝は、溝部の開放端が幅広で、かつ溝部の底部を幅狭とする台形断面形状をなすものであり、前記棒状部材は、前記細溝に適合する台形断面形状を有する、請求項１記載の注出栓。
【発明の詳細な説明】
【技術分野】
【０００１】
本発明は、醤油差し等、調味剤を容器から適量取り出すのに好適な注出栓に関するものであり、不正な開封が行われたかどうか簡単に把握できるバージン機能を付与しようとするものである。
【背景技術】
【０００２】
醤油差し等の調味剤を容器から適量取り出すのに使用される注出栓としては、スプリングの力を利用した開閉機構を適用し、容器が転倒しても内容物がこぼれ出ず、なおかつ、片手による操作でもって簡単に内容物を注出するようにしたものなど、これまでに多数の提案がなされている（例えば、特許文献１参照）。
【０００３】
ところで、上記従来の容器においては、商品の流通時や陳列時において不正な開封が行われたとしてもその確認を行い得る何らの配慮もなされておらず、不正な開封を確実に把握することができる注出栓の開発が望まれていた。
【先行技術文献】
【特許文献】
【０００４】
【特許文献１】実用新案登録第３０７８０１２号公報
【発明の概要】
【発明が解決しようとする課題】
【０００５】
本発明の課題は、不正な開封がなされたかどうか一目で把握できるバージン機能を付与した注出栓を提案するところにあり、具体的には、ベースキャップの天面部に注出ヘッドを組み付け、該注出ヘッドを時計回り、反時計回りに適宜回動（周方向）させて内部通路を開閉して内容物の注出を可能とするタイプの注出栓を対象としている。
【課題を解決するための手段】
【０００６】
本発明は、天面部の中央において起立する軸部を有し、容器の口頚部に固定保持されるベースキャップと、このベースキャップの軸部に回動可能に嵌合保持され、該軸部を起点とする回動にて前記ベースキャップの内側に形成された内部通路に連通させて容器内の内容物を注出する少なくとも一つのノズルを有する注出ヘッドとを備えた注出栓であって、
前記軸部の天面壁部に、該天面壁部に沿って形成され、該天面壁部を少なくとも二つに区分する細溝を設け、
前記注出ヘッドに、前記細溝に入り込んで該注出ヘッドの回動を阻止するが、該注出ヘッドの強制的な回動により引きちぎられる棒状部材を設けたことを特徴とする注出栓である。
【０００７】
上記の細溝は、その溝壁部に、前記注出ヘッドの回動により前記棒状部材を滑動させて細溝の外側へと脱出させる傾斜面を設けるのが望ましい。
【０００８】
また、細溝としては、溝部の開放端が幅広で、かつ溝部の底部を幅狭とする台形断面形状をなすもの適用し、前記棒状部材として、前記溝部に適合する台形断面形状を有するものを適用するのが好ましい。
【発明の効果】
【０００９】
注出ヘッドに引きちぎり可能に一体連結する棒状部材を軸部の天面壁部に形成した細溝に入り込ませておくことにより、注出ヘッドを回動した際に該棒状部材が引きちぎられることになるので、不正な開封が行われたかどうか一目で把握できる。
【００１０】
細溝の側壁の少なくとも一方に傾斜面を形成しておくことで棒状部材が注出ヘッドから引きちぎられる際、側壁の傾斜面に沿って滑動して浮き上がるため、該棒状部材を簡単に取除くことができる。
【００１１】
棒状部材の滑動による浮き上がりは、溝部の開放端が幅広で、溝部の底部が幅狭となる台形断面形状をなす溝部を形成し、前記棒状部材として、前記溝部に適合する台形断面形状を有するものを適用することにより確実に実行される。
【図面の簡単な説明】
【００１２】
【図１】本発明にしたがう注出栓の実施の形態を示した図であり、（ａ）は平面図（上面図）、（ｂ）は側面を断面で示した図である。
【図２】貫通開口のみを形成した注出栓の形態を示した図であり、（ａ）は平面図、（ｂ）は側面を断面で示した図である。
【図３】本発明にしたがう注出栓の他の実施の形態を示した図である。
【図４】本発明にしたがう注出栓のさらに他の実施の形態を示した図である。
【発明を実施するための最良の形態】
【００１３】
以下、図面を参照して本発明をより具体的に説明する。
図１（ａ）（ｂ）は本発明にしたがう注出栓の実施の形態を、容器の口頚部に取り付けた状態で示した図であり、（ａ）は平面図（上面図）であり、（ｂ）は側面を断面で示した図である。
【００１４】
図における符号１は、調味剤（醤油等）等の液状内容物を収納した容器、２は容器１の口頚部１ａにアンダーカット嵌合（ねじ等の係合手段を適用してもよい。）により固定保持されたベースキャップである。このベースキャップ２は、容器１の口頚部１ａを全周にわたって取り囲んで該口頚部１ａの外側壁に嵌合する環状体２ａと、この環状体２ａの上端に一体連結する天面部（天面壁部）２ｂと、この天面部２ｂの中央において起立する軸部２ｃと、該環状体２ａの内側で天面部２ｂの下面から垂下され口頚部１ａの内壁面に嵌合する垂下筒２ｄからなっており、軸部２ｃは、この例では、軸部本体を形成する筒体２ｃ1と、この筒体２ｃ1の上端にて一体連結してその内側に下向きに開放された空洞部を形成する天面壁部２ｃ2で構成されたものとして示してある。軸部２ｃは、中実体を適用することができるが、材料の使用量を軽減する等を目的として空洞部が形成されるものを適用している。
【００１５】
３は、軸部２ｃの筒体２ｃ1の外側壁に設けられた縦溝（図２（ｂ）参照）、４は、筒体２ｃ1から天面壁部２ｂにかけて設けられた開口である。この開口４は、例えば、縦溝３の直下に形成され容器１の内部につながっており、内容物の注出経路を形成する。
【００１６】
５は、ベースキャップ２の天面部２ｂに設けられた上部開放型の筒体である。この筒体５は、間隔をおいて軸部２ｃを取り囲むように円筒状に配置されており、壁部の高さは、後述する注出ヘッドのノズルが回動する範囲のみが他の部位よりも低くなっている（注出ヘッドの回動範囲を規制している。）が、注出ヘッドが３６０°回動可能なように筒体の高さを一定の高さにしてもよい。
【００１７】
６は、ベースキャップ２の軸部２ｃに回動可能に嵌合保持された注出ヘッドである。この注出ヘッド６は、ベースキャップ２の軸部２ｃの筒体２ｃ1の外側壁に嵌合するとともに該軸部２ｃの天面壁部２ｃ2を露出させる貫通開口ｈを有する周壁６ａと、この周壁６ａに横向きに一体連結しその内側に内容物の注出経路を形成したノズル６ｂから構成されている。周壁６ａには、下端部において開口する環状溝部６ａ1が形成されていて、この環状溝部６ａ1に筒体５がアンダーカット嵌合して回動可能に抜け止め保持されている。
【００１８】
さらに、７は、周壁６ａの内壁面に設けられた縦溝である。この縦溝７は、ノズル６ｂの注出経路の入側直下に位置している。
【００１９】
８は、軸部２ｃの天面壁部２ｃ2に設けられた細溝である（図２（ｂ）参照）。この細溝８は、天面壁部２ｃ2に沿い該天面壁部２ｃ2をその中央で左右二つに区分するように形成されている。
【００２０】
９は、注出ヘッド６の貫通開口ｈの開放端に設けられた棒状部材である。この棒状部材９は、その端部９ａ、９ｂが引きちぎり可能に注出ヘッド６の周壁６ａに一体連結しており、細溝８に面一（つらいち）の状態で嵌り込んでいる。
【００２１】
上掲図１（ａ）（ｂ）は、商品の出荷段階の状態を示したものであり、棒状部材９は注出ヘッド６の周壁６ａにつながっており、なおかつ、軸部２ｃの筒体２ｃ1の外側壁がノズル６ｂの注出経路の入側端に当接して内部通路が不通になっているため、容器が転倒しても内容物がこぼれ出ることはない。
【００２２】
内容物を注出すべく、注出ヘッド６を９０°回動させると図２（ａ）（ｂ）に示すように、棒状部材９が引きちぎられ、ノズル６ｂの注出経路、縦溝３、縦溝７、開口４がそれぞれつながって内部通路が開通することとなり、容器の傾動により内容物の注出が可能となる。また、この実施の形態では、軸部２ｃの天面壁部２ｃ2に形成された矢印と注出ヘッド６の上面部に形成された矢印とが合致することにより、内部通路が開通した状態にあることを明示するように構成している。ここに、図２（ａ）（ｂ）は注出ヘッド６の向きを図1（ａ）（ｂ）と一致させるため、注出ヘッド６に対してベースキャップ２を回動させた場合で図示してある。
【００２３】
本発明にしたがう注出栓は、注出ヘッド６を回転させるだけで棒状部材９が引きちぎられることとなり、これがバージン機能を有することになるので、該棒状部材９が注出ヘッド６においてつながっているかどうかを確認するだけで不正な開封がなされたか一目で把握できる。
【００２４】
本発明の実施の形態では、細溝８として、天面壁部２ｃ2に沿い該天面壁部２ｃ2を二分する単一のものを適用した場合について示したが、該細溝８は、十字状に交差させた形態のものやそれ以上の本数を並列させた形態のものや交差させた形態のものを適用することも可能であり、棒状部材９については、細溝８に合わせた形状とすればよい。
【００２５】
注出ヘッド６の回動により内部通路を開通させる角度については、注出栓のサイズ等に応じて適宜変更することができるものであって、９０°で開通、不通にする場合にのみ限定されることはない。
【００２６】
図３は、本発明にしたがう注出栓の他の実施の形態を要部について示した図である。細溝８の溝壁の一方（注出ヘッド６を回動させる側）に、傾斜面を設け、棒状部材９の対応部位に同じ傾斜面を設けておくことで、注出ヘッド６の回動に伴う引きちぎりに際して該棒状部材９が傾斜面を滑動しながら細溝８から脱出することになり、引きちぎられた棒状部材９の廃棄が楽に行える。
【００２７】
図４は、溝部の開放端が幅広で、溝部の底部が幅狭となる台形断面形状をなす溝部を形成してこれを細溝８とし、棒状部材９を該細溝８と同じ断面形状としたものである。かかる細溝８、棒状部材９を適用しても注出ヘッド６の回動に際して引きちぎられた棒状部材９を細溝８から簡単に取除くことができる。
【００２８】
注出ヘッド６のノズル６ｂは対向位置にもう一つ設けることが可能であり、内容物を注出する際にもう一方のノズル６ｂを通して空気置換が行えるため、内容物の効率的で正確な注出が可能となる。また、例えば、９０°毎に交互に内部通路を開閉することができるように連通路を設け、注出ヘッド６の回動する方向を限定することなしに内部通路の開閉を行う（切り替え）ようにしてもよい。
【産業上の利用可能性】
【００２９】
不正な開封がなされたかどうか一目で把握できる回動タイプの注出栓が提供できる。
【符号の説明】
【００３０】
１      容器
１ａ    口頚部
２      ベースキャップ
２ａ    環状体
２ｂ    天面部
２ｃ    軸部
２ｄ    垂下筒
３      縦溝
４      開口
５      筒体
６      注出ヘッド
６ａ    周壁
６ｂ    ノズル
７      縦溝
８      細溝
９      棒状部材
【図１】
0005399332.tif 000002
【図２】
0005399332.tif 000003
【図３】
0005399332.tif 000004
【図４】
0005399332.tif 000005